(57)【要約】【課題】従来、人体型成形仕上機では、首部中央に人体型を支える支持金具があるため、衣服の内部に蒸気と熱風を充分に流入させることが困難であり、ハウジング室内に複数の蒸気噴射口や熱源を設けたりしても完璧な仕上効果を得られない問題があった。【解決手段】首肩部人体型２の上端にスチーム噴出ノズル３１との嵌合部２２を設け、ハウジング屋上に上下動可能に設けたスチーム噴出ノズルを下降させて人体型の嵌合部２２と嵌合させて人体型を通じて衣服内に蒸気と熱風を噴出してスチーム仕上げするように構成した。【選択図】図４
2006034565.tif 000002
【特許請求の範囲】
【請求項１】
屋上に上下動機構によって支持される蒸気供給機構を備えた密閉ハウジング内に、上端にスチーム噴出ノズルとの嵌合部を設け下面を開放した首肩部の人体型を回動可能に支持し、人体型に衣服を着掛して蒸気供給機構のスチーム噴出ノズルを下降させて前記人体型の嵌合部と嵌合させると共に、蒸気供給機構に熱風を送ることにより人体型を通じて衣服内に蒸気と熱風を噴出して仕上げすることを特徴とする衣服のスチーム仕上げ方法
【請求項２】
首肩部の人体型に複数のスチーム通孔を設け、これに端部が閉鎖された人体型風袋を着掛してその上に製品衣服を着掛するようにした請求項１記載の衣服のスチーム仕上げ方法
【請求項３】
屋上に上下動機構によって支持される蒸気供給機構を備えた密閉ハウジング内に、上端にスチーム噴出ノズルとの嵌合部を設けた首肩部人体型を回動可能に設定し、前記蒸気供給機構に連結するスチーム噴出ノズルが蒸気供給機構の上下動によって人体型のスチーム噴出ノズル嵌合部に挿脱するように構成したことを特徴とする衣服のスチーム仕上げ装置
【請求項４】
ハウジング一側に回転ドアー機構を設け、同回転ドアー面に首肩部人体型の首部を回動可能に支持する支持リングを設定して人体型を回動可能に支持すると共に、回転ドアーの反転によって首肩部人体型がハウジング内に位置したとき、蒸気供給機構に連結するスチーム噴出ノズルが首肩部人体型内に下降して首肩部人体型のノズル嵌合部に挿入されるように構成した請求項３記載の衣服のスチーム仕上げ装置
【請求項５】
首肩部人体型を回転ドアーの表裏に設定するように構成した請求項４記載の衣服のスチーム仕上げ装置
【発明の詳細な説明】
【技術分野】
【０００１】
本発明は梱包搬送時に皺になった衣服の皺取りや完成衣服の最終仕上げを目的とする衣服のスチーム仕上げ方法とその装置に関するものである。
【背景技術】
【０００２】
従来、衣服の皺取りや完成衣服の最終仕上げを目的とする衣服のスチーム仕上げ方法は、密閉された室内に衣服を吊るして蒸気と熱風を送り込む方法（例えば特許文献１）、プレス時に空気流が充填される風袋を備えた人体型に衣服を着掛して衣服内に空気を還流させる方法（例えば特許文献２）が行なわれている。
【特許文献１】特開平７ー１４４０９６号公報
【特許文献２】特表２００４−５１６０８５号公報  また、成形目的を兼ねた人体型成形仕上機では、密閉された室内に衣服を吊るして蒸気と熱風を送り込む方法を基本とし、回転ドアー機構を用いて室外でドアー面に設定された人体型に衣服製品を着せ掛け、着せた衣服製品の背中や袖回りを確認して１８０度ドアーを回転させると密閉されたハウジング室内に衣服製品を着せ掛けた人体型が入り、室内に蒸気と熱風を送り込んで製品仕上げを行ってドアーを室外に反転させ仕上げを完了した製品と仕上げを行う製品の着替えを行うことも行われている。
【発明の開示】
【発明が解決しようとする課題】
【０００３】
しかしながら、密閉された室内に衣服を吊るして蒸気と熱風を送り込む方法では衣服の内部に蒸気と熱風を充分に入れることができず、温度も低温となってしまうため仕上がり具合が悪く、しかも、仕上がりに長時間を要するという問題があった。
【０００４】
特に、回転ドアー機構を用いた人体型成形仕上機では、首部中央に人体型を支える支持金具があるため、衣服の内部に蒸気と熱風を充分に流入させることが困難であり、ハウジング室内に複数の蒸気噴射口や熱源を設けたりしても完璧な仕上効果を得られない問題がある。
【０００５】
また、プレス時に空気流が充填される風袋を備えた人体型に衣服を着掛して衣服内に空気を還流させる方法は、風袋を介するため温度的な制約もあって乾燥が主目的であり、スチーム仕上効果が得られない問題がある。
【課題を解決するための手段】
【０００６】
本発明は、上記の課題に対応してこれを解決するため、上端にスチーム噴出ノズルとの嵌合部を設け、下面を開放した首肩部人体型に衣服を着掛して、スチーム噴出ノズルを下降させて人体型の嵌合部と嵌合させると共に、蒸気供給機構に熱風を送ることにより人体型を通じて衣服内に蒸気と熱風を噴出してスチーム仕上げすることにより、人体型空洞部によって押し広げられた衣服内に直接蒸気と熱風が噴射され、回流して仕上効果が高められるように構成した。
【０００７】
また、首肩部の人体型に複数のスチーム通孔を設け、これに端部が閉鎖された人体型風袋を着掛してその上に製品衣服を着掛するようにし、スチーム噴出ノズルから人体型内に噴射される蒸気と熱風が先ず人体型風袋に充填されて膨張と温度上昇が行なわれ、これを通じて製品衣服の内部に蒸気と熱風を流入させることにより短時間に温度上昇とスチーム効果が得られるように構成した。
【０００８】
更に、首部中央に人体型を支える支持金具があるため、衣服の内部に蒸気と熱風を充分に流入させることが困難であった回転ドアー機構を用いた人体型成形仕上機については、回転ドアー面に首肩部人体型の首部を回動可能に支持する支持リングを設定して首肩部人体型を回動可能に支持するようにして、首肩部人体型の首部にスチーム噴出ノズルとの嵌合部を設けられるように構成して首肩部人体型内にスチーム噴射ノズルを挿入できるように構成した。
【０００９】
また、上記回転ドアー機構を用いた仕上機については、回転ドアー面の表裏に首肩部人体型を設定し、ハウジング内にある一方の首肩部人体型に着掛した製品衣服に仕上げ作動が行なわれている間に、ハウジング外にある他方の首肩部人体型に製品衣服を着掛し衣服製品の背中や袖回りの確認作業を行なって、仕上げ作動が完了した製品衣服の取り出しのためのドアー反転により、準備の終わって直ちに仕上げ作動を行なえる他方の首肩部人体型がハウジング内に入り、作業能率が高められるように構成した。
【００１０】
以上のような構成により、従来、衣服の外側から蒸気と熱風を雰囲気的に作用させていた仕上げを、スチーム噴出ノズルと人体型のスチーム吹き込み嵌合部との嵌合により、衣服の内側からも積極的に蒸気と熱風を噴射流入させて万遍なくスチーム仕上効果を行き渡らせるように構成したものである。
【実施例】
【００１１】
以下図面に従って本発明の実施の形態を説明する。１はハウジングで、正面が回転ドアー１１となっており、中軸１２によりドアー１１が１８０度回動するとその表面と裏面が反転するようになっている。
【００１２】
回転ドアー１１には、その表裏に首肩部人体型２の首部を回動可能に支持する支持リング２１が設定され、首肩部人体型２に製品衣服を着掛して衣服製品の背中や袖回りの確認作業を行なえるようにドアー前面スペースにおいて回動できるように人体型２を支持している。
【００１３】
ハウジング１の天井板１５の上部には、上下スライドカイド１３が設定され、上下動シリンダー機構１４に支持されて上下動する蒸気供給機構３の上下作動を案内し、これに連絡する蒸気と熱風の噴出ノズル３１が天井板１５を挿通して首肩部人体型２のスチーム吹き込み嵌合部２２に挿脱するための円滑な動作を助けている。
【００１４】
また、この首肩部人体型２には複数のスチーム通孔２３が穿設され、嵌合部２２を通じて吹き込まれる蒸気と熱風が通孔２３を通じて着掛した風袋２４、衣服製品の内部に噴出されて回流するようになっている。
【００１５】
蒸気供給機構３は、蒸気チャンバー３２と送風ファン３３とからなり、蒸気チャンバー３２と、これに接合する噴出ノズル３１が上下動シリンダー機構１４に支持されて上下動し、上昇時には送風ファン３３のダクト部が蒸気チャンバー３２と分離されて自動的に蒸気供給作動が停止される。
【００１６】
蒸気チャンバー３２と、これに接合する噴出ノズル３１が下降すると、蒸気供給作動が開始され、ボイラーから送られ蒸気チャンバー３２内に回流貯留された蒸気は、必要に応じて蒸気再加熱ラジエーター３４によって再加熱され、送風ファン３３とラジエーター３５から送られる熱風と合流して噴出ノズル３１によって人体型のスチーム吹き込み嵌合部２２から首肩部人体型２内に噴射されて着掛されている人体型風袋、製品衣服に内側から充填され、更に掛ハウジング１内に充満し、排気ダクト４と蒸気排出口５から排出される。
【００１７】
以上のように構成されたスチーム仕上げ装置は、回転ドアー１１に設定された首肩部人体型２に、先ず目の詰んだ耐熱性布地、或いはポリエステル等により人体型袋状に構成した人体型風袋２４を着掛し、その上から製品衣服（図示しない。）を着掛して嵌合部２２から首肩部人体型２内にスチームを吹込む。
【００１８】
首肩部人体型２への製品衣服着掛は、回転ドアー面の表裏に設定しされた首肩部人体型２のハウジング内にある一方の首肩部人体型２ａに着掛した製品衣服に仕上げ作動が行なわれている間に、ハウジング外にある他方の首肩部人体型２ｂに製品衣服を着掛し衣服製品の背中や袖回りの確認作業を行なって、仕上げ作動が完了した製品衣服の取り出しのためのドアー反転により、準備の終わって直ちに仕上げ作動を行なえる他方の首肩部人体型２ｂがハウジング内に入るように構成されている。
【００１９】
また、スチームの吹込みは、仕上げ装置に設定された操作部１６により、製品衣服の種類や性状に応じてスチーム温度、噴射時間を予め設定して行なう。
【００２０】
本発明は以上のように人体型風袋２４を着掛した首肩部人体型２に衣服製品を着掛して製品の背中や袖回りを確認し、ドアー１１を１８０度反転させて衣服製品を着せ掛けた人体型２ａ、２ｂを交互にハウジング室内に入れ、噴射ノズル３を通じて蒸気と熱風をハウジング室内に送り込んで衣服製品の仕上げをし、仕上げを終わった段階でドアー１１を回動させて製品を取り出せるようにしたものである。
【００２１】
なお、上記の実施例では回転ドアー機構を用い、ドアー面に首肩部人体型を設定するようにしたが、首肩部人体型を設定環境がこれに限られないものであることは勿論である。
【００２２】
本発明は以上のように構成したので、衣服製品の内側と外側から蒸気と熱風を万遍なく噴射回流させ、従来に比して極めて高い仕上効果を得ることができたものである。
【図面の簡単な説明】
【００２３】
【図１】本発明の実施例を示すもので、スチーム仕上げ装置の全体正面図
【図２】同じく、首肩部人体型がハウジング室外に位置した状態におけるスチーム仕上げ装置の全体側面図
【図３】同じく、首肩部人体型がハウジング室外に位置した状態におけるスチーム仕上げ装置の平面図
【図４】同じく、噴射ノズル機構と首肩部人体型の嵌合関係を示すハウジング屋上蒸気供給機構の部分模式図
【図５】同じく、回転ドアー機構による回転ドアーの回動状况を示すスチーム仕上げ装置の平面図
【符号の説明】
【００２４】
１    ハウジング
１１  回転ドアー
１２  回転ドアーの中軸
１３  噴射ノズル機構の上下スライドカイド
１４  上下動シリンダー機構
１５  ハウジングの天井板
１６  蒸気供給機構操作部
１７  回転ドアーの回動シリンダー
２    首肩部人体型
２１  首肩部人体型をドアー面に支持する支持リング
２２  人体型のスチーム吹き込み嵌合部
２３  人体型のスチーム通孔
２４  人体型風袋
３    蒸気供給機構
３１  蒸気と熱風の噴出ノズル機構
３２  蒸気チャンバー
３３  送風ファン
３４  蒸気再加熱ラジエーター
３５  送風ファンの加熱ラジエーター
４    排気ダクト
５    蒸気排出口
【図１】
2006034565.tif 000003
【図２】
2006034565.tif 000004
【図３】
2006034565.tif 000005
【図４】
2006034565.tif 000006
【図５】
2006034565.tif 000007